(57)【要約】  本発明の実施例は、通信技術分野に関し、特にサービス構成方法、装置及びシステムを開示する。方法は、無線周波数ユニットＲＲＵ側のＯＴＮ機器は、ベースバンドユニットＢＢＵ側のＯＴＮ機器から送信された高次オーバーヘッドバイトを受信するステップと、前記高次オーバーヘッドバイトから情報を抽出し、回線側サービスデータを構成するステップと、前記ＢＢＵ側のＯＴＮ機器から送信された低次オーバーヘッドバイトを受信するステップと、前記低次オーバーヘッドバイトから情報を抽出し、クライアント側サービスデータを構成するステップとを含む。本発明の実施例によれば、ＲＲＵ側ＯＴＮ機器の管理には開局が困難であり、しかも専門家が現場に行ってサービス開通を行わなければならず、運営コストが大きくなるという従来技術の問題を解決した。
2021533640.tif 000002
【特許請求の範囲】
【請求項１】
光伝送ネットワークＯＴＮ機器に適用されるサービス構成方法であって、
無線周波数ユニットＲＲＵ側のＯＴＮ機器は、ベースバンドユニットＢＢＵ側のＯＴＮ機器から送信された高次オーバーヘッドバイトを受信するステップと、
前記高次オーバーヘッドバイトから情報を抽出し、回線側サービスデータを構成するステップと、
前記ＢＢＵ側のＯＴＮ機器から送信された低次オーバーヘッドバイトを受信するステップと、
前記低次オーバーヘッドバイトから情報を抽出し、クライアント側サービスデータを構成するステップとを含む、サービス構成方法。
【請求項２】
前記高次オーバーヘッドバイトは、前記ＢＢＵ側の光チャネルＯＣＨ側タイムスロットの光チャネルデータユニットＯＤＵｋタイプが挿入されたマルチフレーム構造指示ＭＳＩ高次オーバーヘッドバイトを含む、請求項１に記載のサービス構成方法。
【請求項３】
前記高次オーバーヘッドバイトから情報を抽出し、回線側サービスデータを構成する前記ステップは、
前記高次ＰＳＩから前記ＭＳＩ高次オーバーヘッドバイトを抽出するステップと、
前記ＭＳＩ高次オーバーヘッドバイトに搬送された情報に基づいて、前記ＭＳＩ高次オーバーヘッドバイトに搬送されたＯＤＵｋタイプを取得するステップと、
前記ＯＤＵｋタイプに応じて回線側にＯＤＵのタイムスロットを構成するステップと、を含む請求項２に記載のサービス構成方法。
【請求項４】
前記低次オーバーヘッドバイトは、ＲＲＵ側クライアントポートに対応するサービスタイプ及びクライアントポート番号が挿入されたＭＳＩ低次オーバーヘッドバイトを含む、請求項１に記載のサービス構成方法。
【請求項５】
前記低次オーバーヘッドバイトから情報を抽出し、クライアント側サービスデータを構成する前記ステップは、
前記低次ＰＳＩから前記ＭＳＩ低次オーバーヘッドバイトを抽出するステップと、
前記ＭＳＩ低次オーバーヘッドバイトに搬送された情報に基づいて、クライアントポートサービス構成情報及びクロスオーバー情報を取得するステップと、
前記クライアントポートサービス構成情報及びクロスオーバー情報に基づいて、指定されたクライアントポートのサービスを確立するステップと、を含む請求項４に記載のサービス構成方法。
【請求項６】
前記低次オーバーヘッドバイトから情報を抽出し、クライアント側サービスデータを構成した後、
受信したサービス情報に基づいて、前記ＲＲＵ側機器のサービス構成及びクロスオーバー構成を更新するステップをさらに含む、請求項１〜５のいずれか１項に記載のサービス構成方法。
【請求項７】
前記サービス構成が追加される場合、まず、前記サービス構成を実行し、次に、前記サービス構成に関連するクロスオーバー構成を実行するステップと、
サービスが削除される場合、まず、前記サービスに関連するクロスオーバー構成を削除し、次に、前記サービスを削除するステップと、をさらに含む請求項６に記載のサービス構成方法。
【請求項８】
ＲＲＵ側に設けられ、
メモリと、プロセッサと、前記メモリ上に記憶され、前記プロセッサ上で実行可能なコンピュータプログラムとを備え、前記コンピュータプログラムが前記プロセッサによって実行されると、請求項１〜７のいずれか１項に記載の方法のステップを実現するＯＴＮ機器。
【請求項９】
ＢＢＵ側ネットワーク要素と、ＢＢＵ側ＯＴＮ機器と、請求項８に記載のＲＲＵ側ＯＴＮ機器とを備え、
前記ＢＢＵ側ネットワーク要素は、高次オーバーヘッドバイトに設定された回線側サービスデータと低次オーバーヘッドバイトに設定されたクライアント側サービスデータとを設定することに用いられ、
前記ＢＢＵ側ＯＴＮ機器は、前記ＢＢＵ側ネットワーク要素が回線側サービスデータ及びクライアント側サービスデータの設定を完了した後、前記高次オーバーヘッドバイトを前記ＲＲＵ側ＯＴＮ機器に送信し、回線側サービスが確立された後、前記低次オーバーヘッドバイトを前記ＲＲＵ側ＯＴＮ機器に送信することに用いられ、
前記ＲＲＵ側ＯＴＮ機器は、受信した高次オーバーヘッドバイトに基づいて回線側サービスデータを構成し、受信した低次オーバーヘッドバイトに基づいてクライアント側サービスデータを構成することに用いられる、サービス構成システム。
【発明の詳細な説明】
【技術分野】
【０００１】
本願は、２０１８年０８月０３日に提出された、発明の名称が「サービス情報構成方法、装置及びシステム」である中国特許出願ＣＮ２０１８１０８７９９３５．Ｘの優先権を主張し、その全内容が引用により本明細書に組み込まれている。
【０００２】
本発明の実施例は、通信技術分野に関し、特にサービス構成方法、装置及びシステムに関する。
【背景技術】
【０００３】
中国移動会社のフルサービスオペレーションの展開に伴い、メトロポリタンエリアネットワークアクセスのサービスにも大きな変化が生じた。従来のメトロポリタンエリアネットワークのアクセス層は、基地局アクセスが主であるが、フルサービスアクセスの背景には、グループユーザ、ホームコミュニティのサービスアクセス、及び各種の専用線タスクも担っている。アクセスサービスが多様化しており、長期的進化（Ｌｏｎｇ  Ｔｅｒｍ  Ｅｖｏｌｕｔｉｏｎ、ＬＴＥ）基地局の高帯域幅、光回線端末（Ｏｐｔｉｃａｌ  Ｌｉｎｅ  Ｔｅｒｍｉｎａｌ、ＯＬＴ）の１０００Ｍの伝送速度のイーサネット（登録商標）（Ｇｉｇａｂｉｔ  Ｅｔｈｅｒｎｅｔ（登録商標）、ＧＥ）、さらには１０Ｇの上り帯域幅など、帯域幅も大きくなり、大量の大規模クライアント専用回線サービスにもＧＥ以上のアクセス帯域幅が必要とされる。パケット伝送ネットワーク（Ｐａｃｋａｇｅ  Ｔｒａｎｓｐｏｒｔ  Ｎｅｔｗｏｒｋ、ＰＴＮ）はプレミアムプレーンを構築することができ、３Ｇ、ＬＴＥ段階の無線サービスの返送を実現し、またプレミアム大規模クライアント専用回線サービスにアクセスすることができる。大量のＯＬＴ上りサービス及び一般的な大規模クライアント専用線サービスは、光伝送ネットワーク（Ｏｐｔｉｃａｌ  Ｔｒａｎｓｐｏｒｔ  Ｎｅｔｗｏｒｋ、ＯＴＮ）を通じて高帯域幅のアクセスを実現することができる。
【０００４】
ＬＴＥ／ＬＴＥ−Ａ（ＬＴＥ−Ａｄｖａｎｃｅｄ、後続進化）の発展において、事業者はサイトのリース料と基地局資源の集中管理を低減させるために、ベースバンドユニット（Ｂｕｉｌｄｉｎｇ  Ｂａｓｅ  ｂａｎｄ  Ｕｎｉｔ、ＢＢＵ）を集中することが主流となるネットワーク構築方式として採用されてきた。ベースバンド部（ＢＢＵ）は統合機械室に集中して配置され、無線周波数部（ＲＲＵ、Ｒａｄｉｏ  Ｒｅｍｏｔｅ  Ｕｎｉｔ）はすべて屋外の各カバーポイントに配置され、ＢＢＵとＲＲＵは共通公共無線インタフェース（Ｃｏｍｍｏｎ  Ｐｕｂｌｉｃ  Ｒａｄｉｏ  Ｉｎｔｅｒｆａｃｅ、ＣＰＲＩ）を介してサービスを遠隔化する。屋外ＯＴＮ機器（ＲＲＵ側）と統合機械室ＯＴＮ機器（ＢＢＵ側）がドッキング伝送を行う。開局してサービスを開通する際に、まず、屋外ＯＴＮ機器をネットワーク回線で接続し、機器とネットワーク管理者が同一のネットワークセグメントになるようにし、その後、ネットワーク管理者サーバを利用してネットワーク要素を作成し、ＯＴＮ機器を管理し、ネットワーク管理者がこの機器を監視できるようになった後、これについてネットワーク管理者インタフェースを介してサービス構成を行い、サービス開通を行うために対応するクロスオーバーを構成する。この過程から分かるように、この方式では、ＲＲＵ側ＯＴＮ機器の場所を柔軟に配置するため、非常に辺鄙な場所になる場合があり、ＲＲＵ側は多くの場合、ネットワーク管理者により管理するのが非常に困難である（ネットワークケーブル、ネットワーク管理サーバは固定されているため、携帯サービス端末を携帯して機器とともに現場に行ってサービスを開通してから、サービス開通後にメインネットワーク要素と直列に接続しなければならない）、開局の難しさを増加させ、そして専門家はサービス開通のために現場に行かなければならず、このため、運営コストが増える。
【発明の概要】
【０００５】
これに鑑み、本発明の実施例の目的は、サービス構成方法、装置及びシステムを提供することにあり、ＲＲＵ側ＯＴＮ機器の管理には開局が困難であり、しかも専門家が現場に行ってサービス開通を行わなければならず、運営コストが大きくなるという従来技術の問題を解決した。
【０００６】
本発明の実施例が上記課題を解決するために採用される技術案は下記のとおりである。
本発明の実施例の第一の態様によれば、光伝送ネットワークＯＴＮ機器に適用されるサービス構成方法を提供し、前記方法は、
無線周波数ユニットＲＲＵ側のＯＴＮ機器は、ベースバンドユニットＢＢＵ側のＯＴＮ機器から送信された高次オーバーヘッドバイトを受信するステップと、
前記高次オーバーヘッドバイトから情報を抽出し、回線側サービスデータを構成するステップと、
前記ＢＢＵ側のＯＴＮ機器から送信された低次オーバーヘッドバイトを受信するステップと、
前記低次オーバーヘッドバイトから情報を抽出し、クライアント側サービスデータを構成するステップとを含む。
【０００７】
本発明の実施例の第二の態様によれば、ＲＲＵ側に設けられ、メモリと、プロセッサと、前記メモリ上に記憶され、前記プロセッサ上で実行可能なコンピュータプログラムとを備え、前記コンピュータプログラムが前記プロセッサによって実行されると、第一の態様に記載の方法のステップを実現するＯＴＮ機器を提供する。
【０００８】
本発明の実施例の第三の態様によれば、ＢＢＵ側ネットワーク要素と、ＢＢＵ側ＯＴＮ機器と、第二の態様に記載のＲＲＵ側ＯＴＮ機器とを備え、
前記ＢＢＵ側ネットワーク要素は、高次オーバーヘッドバイトに設定された回線側サービスデータと低次オーバーヘッドバイトに設定されたクライアント側サービスデータとを設定することに用いられ、
前記ＢＢＵ側ＯＴＮ機器は、前記ＢＢＵ側ネットワーク要素が回線側サービスデータ及びクライアント側サービスデータの設定を完了した後、前記高次オーバーヘッドバイトを前記ＲＲＵ側ＯＴＮ機器に送信し、回線側サービスが確立された後、前記低次オーバーヘッドバイトを前記ＲＲＵ側ＯＴＮ機器に送信することに用いられ、
前記ＲＲＵ側ＯＴＮ機器は、受信した高次オーバーヘッドバイトに基づいて回線側サービスデータを構成し、受信した低次オーバーヘッドバイトに基づいてクライアント側サービスデータを構成することに用いられる、サービス構成システムを提供する。
【０００９】
本発明の実施例によるサービス構成方法、装置及びシステムでは、ＯＴＮ機器は、高次オーバーヘッドバイトを用いて回線側サービスデータを伝送し、低次オーバーヘッドバイトを用いてクライアント側サービスデータを伝送し、それにより、ＲＲＵ側のＯＴＮ機器は現場でネットワーク管理者による管理及び配置を行うことなく、上流のＢＢＵ側ＯＴＮ機器のサービス構成に自動的に追従することができ、サービス自動開通機能を備え、ＲＲＵ側ＯＴＮ機器の管理には開局が困難であり、しかも専門家が現場に行ってサービス開通を行わなければならず、運営コストが大きくなるという従来技術の問題を解決した。
【図面の簡単な説明】
【００１０】
【図１】図１は本発明の実施例１によって提供されるサービス構成方法のフローチャートである。
【図２】図２は本発明の実施例においてＯＴＮ機器がＢＢＵ側とＲＲＵ側とで通信を確立する場合の模式図である。
【図３】図３はＯＰＵＫ多重化オーバーヘッドのフレーム構造の模式図である。
【図４】図４は本発明の実施例２におけるＯＴＮ機器のネットワーキング模式図である。
【図５】図５は本発明の実施例２のサービス構成方法のフローチャートである。
【図６】図６は本発明の実施例２におけるＧ７０９  ＯＰＵ２  ＭＳＩ符号化（ペイロード・タイプ＝２１）の定義を示す表である。
【図７】図７は本発明の実施例３によって提供されるＯＴＮ機器のモジュール構造の模式図である。
【図８】図８は本発明の実施例４によって提供されるサービス構成システムの構造模式図である。
【発明を実施するための形態】
【００１１】
本発明の実施例の目的の達成、機能的特徴及び利点については、実施例にて図面を参照しながらさらに説明する。
【００１２】
本発明の実施例の解決しようとする技術課題、技術案及び有益な効果をより明確、明瞭にするために、以下は図面及び実施例を組み合わせて本発明の実施例をさらに詳しく説明する。ここで説明する具体的な実施例は、本発明の実施例を説明するためのものであり、本発明の実施例を限定するものではないことが理解されるべきである。
【００１３】
本発明の実施例１は、ＲＲＵ側のＯＴＮ機器に適用されるサービス構成方法を提供し、図１に示すように、該方法は、ステップＳ１０１〜ステップＳ１０４を含む。
【００１４】
ステップＳ１０１において、ＲＲＵ側のＯＴＮ機器は、ＢＢＵ側のＯＴＮ機器から送信された高次オーバーヘッドバイトを受信する。
【００１５】
ステップＳ１０２において、この高次オーバーヘッドバイトから情報を抽出し、回線側サービスデータを構成する。
【００１６】
ステップＳ１０３において、このＢＢＵ側のＯＴＮ機器から送信された低次オーバーヘッドバイトを受信する。
【００１７】
ステップＳ１０４において、この低次オーバーヘッドバイトから情報を抽出し、クライアント側サービスデータを構成する。
【００１８】
図２は、ＯＴＮ機器がＢＢＵ側とＲＲＵ側とで通信を確立する場合の模式図である。
ＢＢＵ側のネットワーク要素ＮＥ２は、サービスとクロスオーバーを設定し、サービスはＮＥ２にアクセスし、回線にクロスオーバーをベアラし、ＲＲＵ側のネットワーク要素ＮＥ１（実際の応用では、ネットワーク要素ＮＥ２は仮想であってもよい）では、ＮＥ１サービス及びクロスオーバープレーンは構成されて開通する。
【００１９】
本実施例では、ＢＢＵ側機器サービス及びクロスオーバーは手動で設定可能であり、ＲＲＵ側機器サービス及びクロスオーバーはＢＢＵ側サービス構成に応じて自動的に開通する。
【００２０】
１つの実現可能な態様では、この高次オーバーヘッドバイトは、このＢＢＵ側の光チャネル（ＯＣＨ）側タイムスロットの光チャネルデータユニット（ＯＤＵｋ）タイプが挿入された高次ペイロード構造指示識別子（ＰＳＩ）に配置されたマルチフレーム構造指示（ＭＳＩ）高次オーバーヘッドバイトを含み、
この低次オーバーヘッドバイトは、ＲＲＵ側クライアントポートに対応するサービスタイプ及びクライアントポート番号が挿入された、低次ＰＳＩに設定されたＭＳＩ低次オーバーヘッドバイトを含む。
【００２１】
１つの実行可能な態様では、ステップＳ１０２において、この高次オーバーヘッドバイトから情報を抽出し、回線側サービスデータを構成するステップは、
前記高次ＰＳＩから前記ＭＳＩ高次オーバーヘッドバイトを抽出するステップと、
このＭＳＩ高次オーバーヘッドバイトに搬送された情報に基づいて、回線側に光チャネルデータユニット（ＯＤＵ）のタイムスロットを構成するステップと、を含む。
【００２２】
１つの実行可能な態様では、ステップＳ１０３において、この低次オーバーヘッドバイトから情報を抽出し、クライアント側サービスデータを構成するステップは、
前記低次ＰＳＩから前記ＭＳＩ低次オーバーヘッドバイトを抽出するステップと、
このＭＳＩ低次オーバーヘッドバイトに搬送された情報に基づいて、クライアントポートサービス構成情報及びクロスオーバー情報を取得するステップと、
このクライアントポートサービス構成情報及びクロスオーバー情報に基づいて、指定されたクライアントポートのサービスを確立するステップと、を含む。
【００２３】
実際の応用では、光チャネルペイロードユニット（Ｏｐｔｉｃａｌ  Ｃｈａｎｎｅｌ  Ｐａｙｌｏａｄ  Ｕｎｉｔ、ＯＰＵＫ）多重オーバーヘッドにおける多重化構造は、ＭＳＩオーバーヘッドバイトを指示することができる。具体的には、図３に示すように、高次オーバーヘッドバイトは回線側サービスデータを伝達することに用いられ、低次オーバーヘッドバイトはクライアント側サービスデータを伝達することに用いられ、このようにすると、階層が明確で理解されやすくなるという顕著な利点がある。
【００２４】
ＢＢＵ側ＮＥ２ネットワーク要素の機器の場合、ＮＥ２はネットワーク管理者によって管理されているため、インタフェースが対応するサービス及びクロスオーバー構成をサポートし、ＮＥ２ネットワーク要素機器では、規格要件に従って、回線側高次オーバーヘッド（たとえば、高次ペイロード構造指示識別子ＰＳＩ）にＭＳＩ高次オーバーヘッドバイトを設定するとともに、ＭＳＩ高次オーバーヘッドバイトに自端の光チャネル（ｏｐｔｉｃａｌ  ｃｈａｎｎｅｌ、ＯＣＨ）側の各タイムスロットの光チャネルデータユニット（ｏｐｔｉｃａｌ  ｃｈａｎｎｅｌ ｄａｔｅ  Ｕｎｉｔ、ＯＤＵｋ）タイプを挿入し、低次オーバーヘッドにＭＳＩ低次オーバーヘッドバイトを設定するとともに、そこにＲＲＵ側クライアントポートに対応するサービスタイプ及びクライアントポート番号（具体的にどのクライアントポートにクロスオーバーするかは、ＢＢＵ側ネットワーク管理者で指定）を挿入する。ＢＢＵ側の構成が完了すると、ＢＢＵ側のＯＴＮ機器はＲＲＵ側のＯＴＮ機器との間で回線側サービスを確立することができる。
【００２５】
ＲＲＵ側ＮＥ１ネットワーク要素の機器の場合、まず、ＭＳＩ高次オーバーヘッドバイトにより、回線側のＢＢＵ側に関する構成を取得する。ＲＲＵ側は、情報に基づいて回線側サービスを構成し、回線側のサービス構成が完了した後、ＲＲＵ側はＭＳＩ低次オーバーヘッドバイトを取得することができ（実際の応用では、回線側のタイムスロットがすべて正しく構成されると、ＲＲＵ回線側は対応する低次オーバーヘッドを取得する）、低次オーバーヘッドから送られてきた情報を用いて対応するクライアントポートサービスを構成し、クロスオーバー構成には、低次オーバーヘッドの先頭タイムスロットを取得し、このタイムスロットによって指定されたクライアントポートにクロスオーバーし、このとき、ＲＲＵ側の回線側、クライアント側のサービス構成及びクロスオーバー確立が完了し、サービス開通が完了する。
【００２６】
１つの実行可能な態様では、ステップＳ１０４において、この低次オーバーヘッドバイトから情報を抽出し、クライアント側サービスデータを構成した後、該方法は、
受信したサービス情報に基づいて、このＲＲＵ側機器のサービス構成及びクロスオーバー構成を更新するステップをさらに含む。
【００２７】
実際の応用では、ＲＲＵ側機器のサービス構成及びクロスオーバー構成の更新はサービスの削除と増加を含む。
【００２８】
あるクライアントポートのサービスが開通すると、ＲＲＵ側のＯＴＮ機器のサービスポートは、ＢＢＵ側からの情報を受信するたびに、次の情報を待ち始め、予め設定された時間が経過しても何も受信しない場合、ＢＢＵ側で当該クライアントポートのサービスが削除されたものとみなし、この場合、ＲＲＵ側の対応するサービスを削除する。
【００２９】
サービス構成が追加される場合、まず、サービス構成を実行し、次にクロスオーバー構成を実行する。
【００３０】
本発明の実施例によるサービス構成方法では、ＯＴＮ機器は、高次オーバーヘッドバイトを用いて回線側サービスデータを伝送し、低次オーバーヘッドバイトを用いてクライアント側のサービスデータを伝送し、これにより、ＲＲＵ側のＯＴＮ機器は現場でネットワーク管理者による管理と配置を行うことなく、上流のＢＢＵ側ＯＴＮ機器のサービス構成に自動的に追従することができ、サービス自動開通機能を備えているので、現場に行く必要がなく、光ファイバを接続するだけでサービスを開通することができ、それにより、開局難度及び運営コストを低減することができる。
【００３１】
本発明をより詳細に説明するために、前述の実施例に基づいて、本発明の実施例２は別のサービス構成方法を提供し、この方法については、光チャネル伝送ユニットＯＴＵ２（ペイロードタイプ２１）が公共ラジオＣＰＲＩ３サービスをベアラーすることと組み合わせて説明する。図４に示すように、双方向矢印付きのサービスラインがサービスの１つであり、ネットワークのネットワーキングが完了した後、全体の流れはＢＢＵ側機器により開始され、ＲＲＵ側機器はＢＢＵ側の構成に追従し、ＢＢＵ側のサービスが変更された場合、ＲＲＵ側機器は変更に追従する。
【００３２】
図５に示すように、本実施例について、ＢＢＵ側機器及びＲＲＵ側機器の機能の流れに基づいて説明する。
【００３３】
ステップＳ５０１において、ＢＢＵ側機器ネットワーク管理者はサービスを構成する。
実際の応用では、ＢＢＵ側で構成されるサービスには、回線側サービスとクライアント側サービスが含まれる。
【００３４】
回線側サービス（それぞれ第１、第２、第３、第４のタイムスロットを占有する２つのＯＤＵ１を含む）の場合、ＲＲＵ側が正しいＯＤＵｋタイプを取得することを確保するために、ペイロード構造識別子ＰＳＩ［１４−２９］を使用して８つのタイムスロットのＯＤＵｋタイプを記述する。本実施例では、高次ＰＳＩオーバーヘッドにＭＳＩ高次オーバーヘッドバイトを設定するとともに、ＭＳＩ高次オーバーヘッドバイトに自端のＯＣＨ側の各タイムスロットのＯＤＵｋタイプを挿入してもよい。
【００３５】
クライアント側サービス（ＣＰＲＩ３）の場合、ＯＤＵ１への標準マッピング方式を採用する。本実施例では、低次ＰＳＩオーバーヘッドにＭＳＩ低次オーバーヘッドバイトを設定し、ＭＳＩ低次オーバーヘッドバイトにＲＲＵ側クライアントポートに対応するサービスタイプ及びクライアントポート番号を挿入してもよい。
【００３６】
ＢＢＵ回線側サービスの構成が成功すると、回線側サービスは開通している（本実施例では、ＲＲＵ回線側はデフォルトでＯＴＵ２サービスである）。
【００３７】
ステップＳ５０２において、ＢＢＵ側ＯＴＮ機器は、回線側サービス構成に基づいて、ＲＲＵ側ＯＴＮ機器に高次ＰＳＩオーバーヘッドバイトを送信する。
【００３８】
ステップＳ５０３において、ＲＲＵ側ＯＴＮ機器は、高次ＰＳＩオーバーヘッドバイトを抽出し、高次ＰＳＩオーバーヘッドバイトに基づいてＯＤＵ１タイムスロットを構成する。
【００３９】
ＭＳＩオーバーヘッドバイトに搬送された情報に基づいて、図６に示すように、１、２タイムスロットの分岐ポートは一致し、ＰＳＩ［１４−１５］、ＰＳＩ［１６−１７］に基づいて、これらの２つのタイムスロットはＯＤＵ１であることを示しているので、回線側でＯＤＵ１（１、２タイムスロットを占有）を構成することができ、同じ方法によって、もう１つのＯＤＵ１（３、４タイムスロットを占有）を構成することができる。
【００４０】
実際の応用では、ＲＲＵ側の回線サービス配置に必要な情報を表１に示す。
【００４１】
【表１】
2021533640.tif 000003
【００４２】
ステップＳ５０４において、ＢＢＵ側機器ネットワーク管理者は、低次ＰＳＩオーバーヘッドに、ＲＲＵ側クライアントポートクロスオーバーと回線側（ＯＣＨ）のタイムスロットとの対応関係を設定する。
【００４３】
ＲＲＵ側クライアントポートがＯＣＨ側のどのタイムスロットにクロスオーバーするかを設定するためには、ＢＢＵネットワーク管理者で指定する必要がある。本実施例では、１、２タイムスロットはクライアントポート１、３、４タイムスロットはクライアントポート５を指定し、このステップはＲＲＵ側のクライアント側（ＯＡＣ）ポート番号とタイムスロットとの対応関係を完了し、ＲＲＵ側のクロスオーバー確立のための準備を行う。
【００４４】
ステップＳ５０５において、ＢＢＵ側ＯＴＮ機器は、低次ＰＳＩオーバーヘッドをＲＲＵ側ＯＴＮ機器に伝達する。
【００４５】
ステップＳ５０６において、ＲＲＵ側ＯＴＮ機器は、低次ＰＳＩオーバーヘッドからクライアントポートサービス構成情報及びクロスオーバー情報を取得し、ＯＡＣサービスマッピング構成を実行する。
【００４６】
本ステップにおいて、ＲＲＵ側のクライアントのサービス構成に必要な情報を表２に示す。
【００４７】
【表２】
2021533640.tif 000004
【００４８】
以上の４つの情報に基づいて、指定されたクライアントポートのサービスを確立することができる。
【００４９】
ＲＲＵがＯＡＣサービスマッピング構成を実行した後、クライアントポート１を回線ポート３、４タイムスロットにクロスオーバーさせ、クライアントポート５を回線ポート１、２タイムスロットにクロスオーバーさせ、このようにクロスオーバー構成が完了し、つまり、ＲＲＵ側のクライアント側ポート１、５のサービスの自動開通が完了する。
【００５０】
実際の応用では、図３の回線側高次／低次ＯＤＵｋに基づくＰＳＩオーバーヘッドに対して、ＲＲＵ側機器のサービス構成及びクロスオーバー構成をリアルタイムで更新する必要がある。また、サービス構成が追加される場合、まず、サービス構成を実行し、次に、クロスオーバー構成を実行し、サービスが削除される場合、まず、クロスオーバー削除を実行し、次に、サービスを削除する必要がある。
【００５１】
本発明の実施例によるサービス構成方法では、ＯＴＮ機器は、高次オーバーヘッドバイトを用いて回線側サービスデータを伝送し、低次オーバーヘッドバイトを用いてクライアント側のサービスデータを伝送し、これにより、ＲＲＵ側のＯＴＮ機器は現場でネットワーク管理者による管理と配置を行うことなく、上流のＢＢＵ側ＯＴＮ機器のサービス構成に自動的に追従することができ、サービス自動開通機能を備えているので、現場に行く必要がなく、光ファイバを接続するだけでサービスを開通することができ、それにより、開局難度及び運営コストを低減することができる。
【００５２】
前述の実施例に基づいて、本発明の実施例３は、ＲＲＵ側に設けられたＯＴＮ機器を提供し、図７に示すように、前記ＯＴＮ機器は、メモリ４０１と、プロセッサ４０２と、このメモリ４０１上に記憶され、このプロセッサ４０２上で実行可能であり、このプロセッサ４０２によって実行されると、実施例１又は実施例２の方法のステップを実現するコンピュータプログラムとを備え、このステップは、
無線周波数ユニットＲＲＵ側のＯＴＮ機器は、ベースバンドユニットＢＢＵ側のＯＴＮ機器から送信された高次オーバーヘッドバイトを受信するステップと、
前記高次オーバーヘッドバイトから情報を抽出し、回線側サービスデータを構成するステップと、
前記ＢＢＵ側のＯＴＮ機器から送信された低次オーバーヘッドバイトを受信するステップと、
前記低次オーバーヘッドバイトから情報を抽出し、クライアント側サービスデータを構成するステップと、を含む。
【００５３】
１つの実行可能な態様では、前記高次オーバーヘッドバイトは、前記ＢＢＵ側の光チャネル（ＯＣＨ）側タイムスロットの光チャネルデータユニット（ＯＤＵｋ）タイプが挿入されたマルチフレーム構造指示ＭＳＩ高次オーバーヘッドバイトを含む。
【００５４】
１つの実行可能な態様では、前記高次オーバーヘッドバイトから情報を抽出し、回線側サービスデータを構成するステップを実行する際に、このコンピュータプログラムがプロセッサ４０２によって実行されると、
前記高次ＰＳＩからＭＳＩ高次オーバーヘッドバイトを抽出するステップと、
前記ＭＳＩ高次オーバーヘッドバイトに搬送された情報に基づいて、回線側に前記光チャネルデータユニットＯＤＵのタイムスロットを構成するステップも実現される。
【００５５】
１つの実行可能な態様では、前記低次オーバーヘッドバイトは、ＲＲＵ側クライアントポートに対応するサービスタイプ及びクライアントポート番号が挿入されたＭＳＩ低次オーバーヘッドバイトを含む。
【００５６】
１つの実行可能な態様では、前記低次オーバーヘッドバイトから情報を抽出し、クライアント側サービスデータを構成するステップを実行する際に、このコンピュータプログラムがプロセッサ４０２によって実行されると、
前記低次ＰＳＩからＭＳＩ低次オーバーヘッドバイトを抽出するステップと、
前記ＭＳＩ低次オーバーヘッドバイトに搬送された情報に基づいて、クライアントポートサービス構成情報及びクロスオーバー情報を取得するステップと、
前記クライアントポートサービス構成情報及びクロスオーバー情報に基づいて、指定されたクライアントポートのサービスを確立するステップも実現される。
【００５７】
１つの実行可能な態様では、前記低次オーバーヘッドバイトから情報を抽出し、クライアント側サービスデータを構成するステップを実行した後、このコンピュータプログラムがこのプロセッサ４０２によって実行されると、
受信したサービス情報に基づいて、前記ＲＲＵ側機器のサービス及びクロスオーバー構成を更新するステップも実現される。
【００５８】
１つの実行可能な態様では、このコンピュータプログラムがプロセッサ４０２によって実行されると、
サービス構成が追加される場合、まず、前記サービス構成を実行し、次に、前記サービス構成に関連するクロスオーバー構成を実行するステップと、サービスが削除される場合、まず、前記サービスに関連するクロスオーバー構成を削除し、次に、前記サービスを削除するステップも実現される。
【００５９】
実際の応用では、ＲＲＵ側機器のサービス及びクロスオーバー構成の更新はサービスの削除と増加を含む。
【００６０】
あるクライアントポートのサービスが開通すると、ＲＲＵ側のＯＴＮ機器のサービスポートは、ＢＢＵ側の情報を受信するたびに、次の情報を待ち始め、予め設定された時間が経過しても何も受信しない場合、ＢＢＵ側で当該クライアントポートのサービスが削除されたものとみなし、この場合、ＲＲＵ側の対応するサービスを削除する。
【００６１】
サービス構成が追加される場合、まず、サービス構成を実行し、次に、クロスオーバー構成を実行する。
【００６２】
本発明の実施例によるサービス構成方法では、ＯＴＮ機器は、高次オーバーヘッドバイトを用いて回線側サービスデータを伝送し、低次オーバーヘッドバイトを用いてクライアント側のサービスデータを伝送し、これにより、ＲＲＵ側のＯＴＮ機器は現場でネットワーク管理者による管理と配置を行うことなく、上流のＢＢＵ側ＯＴＮ機器のサービス構成に自動的に追従することができ、サービス自動開通機能を備えているので、現場に行く必要がなく、光ファイバを接続するだけでサービスを開通することができ、それにより、開局難度及び運営コストを低減することができる。
【００６３】
前述の実施例に基づいて、本発明の実施例４は、サービス構成システムを提供し、図８に示すように、前記システムは、ＢＢＵ側ネットワーク要素８０１と、ＢＢＵ側ＯＴＮ機器８０２と、ＲＲＵ側ＯＴＮ機器８０３とを備え、
前記ＢＢＵ側ネットワーク要素８０１は、高次オーバーヘッドバイトに設定された回線側サービスデータと低次オーバーヘッドバイトに設定されたクライアント側サービスデータとを設定することに用いられ、
前記ＢＢＵ側ＯＴＮ機器８０２は、前記ＢＢＵ側ネットワーク要素が回線側サービスデータ及びクライアント側サービスデータの設定を完了した後、前記高次オーバーヘッドバイトを前記ＲＲＵ側ＯＴＮ機器に送信し、回線側サービスが確立された後、前記低次オーバーヘッドバイトを前記ＲＲＵ側ＯＴＮ機器に送信することに用いられ、
前記ＲＲＵ側ＯＴＮ機器８０３は、受信した高次オーバーヘッドバイトに基づいて回線側サービスデータを構成し、受信した低次オーバーヘッドバイトに基づいてクライアント側サービスデータを構成することに用いられる。
【００６４】
実際の応用では、ＲＲＵ側ＯＴＮ機器８０３は、実施例３のようなＯＴＮ機器を用いてもよいが、ここでは詳しく説明しない。
【００６５】
本発明の実施例によるサービス構成システムでは、ＯＴＮ機器は、高次オーバーヘッドバイトを用いて回線側サービスデータを伝送し、低次オーバーヘッドバイトを用いてクライアント側のサービスデータを伝送し、これにより、ＲＲＵ側のＯＴＮ機器は現場でネットワーク管理者による管理と配置を行うことなく、上流のＢＢＵ側ＯＴＮ機器のサービス構成に自動的に追従することができ、サービス自動開通機能を備えているので、現場に行く必要がなく、光ファイバを接続するだけでサービスを開通することができ、それにより、開局難度及び運営コストを低減することができる。
【００６６】
上記実施例に基づいて、本発明の実施例５は、１つ又は複数のプロセッサによって実行されて実施例１及び実施例２に記載のステップを実現することができる１つ又は複数のプログラムを記憶したことを特徴とする記憶媒体を提供する。
【００６７】
以上は、図面を参照して本発明の実施例の好適な実施例を説明したが、本発明の実施例の権利範囲を限定するものではない。当業者が本発明の実施例の範囲及び本質を逸脱することなく行った如何なる修正、均等な置換や改良も、本発明の実施例の特許請求の範囲に属するものとする。
【図１】
2021533640.tif 000005
【図２】
2021533640.tif 000006
【図３】
2021533640.tif 000007
【図４】
2021533640.tif 000008
【図５】
2021533640.tif 000009
【図６】
2021533640.tif 000010
【図７】
2021533640.tif 000011
【図８】
2021533640.tif 000012
【手続補正書】
【提出日】令和3年2月2日(2021.2.2)
【手続補正２】
【補正対象書類名】明細書
【補正対象項目名】００６７
【補正方法】変更
【補正の内容】
【００６７】
以上は、図面を参照して本発明の実施例のいくつかの実施例を説明したが、本発明の実施例の権利範囲を限定するものではない。当業者が本発明の実施例の範囲及び本質を逸脱することなく行った如何なる修正、均等な置換や改良も、本発明の実施例の特許請求の範囲に属するものとする。
【国際調査報告】
2021533640.tif 000013
2021533640.tif 000014
2021533640.tif 000015
2021533640.tif 000016